(57)【要約】【課題】レイアウト画像の背景色等を設定しないで、記録用紙のみ背景色等を設定した場合、記録用紙には、レイアウト画像における背景が無設定であり、その周辺は記録用紙に設定した背景色等の画像が出力され、ユーザの意図しない不自然な画像となる可能性がある。【解決手段】レイアウト画像生成部は、レイアウト画像Ｒ１０において割り付けた画像以外の領域の画像となるレイアウト背景Ｒ１１を設定するレイアウト背景設定部を有し、印刷画像生成部は、印刷画像Ｐ２０において割り付けたレイアウト画像Ｐ１０以外の領域の画像となる印刷背景Ｐ２１を設定する印刷背景設定部を有し、印刷画像生成部は、レイアウト背景設定部によりレイアウト背景Ｒ１１が設定されないときに、印刷画像に割り付けたレイアウト画像Ｐ１０におけるレイアウト背景Ｐ１１に、印刷背景設定部により生成された印刷背景Ｐ２１を設定する。【選択図】図３
2009163594.tif 000002
【特許請求の範囲】
【請求項１】
画像を割り付けたレイアウト画像を生成するレイアウト画像生成部と、
前記レイアウト画像を割り付けた印刷対象となる印刷画像を生成する印刷画像生成部と、を有し、
前記レイアウト画像生成部は、前記レイアウト画像において前記割り付けた画像以外の領域の画像となるレイアウト背景を設定するレイアウト背景設定部を有し、
前記印刷画像生成部は、前記印刷画像において前記割り付けたレイアウト画像以外の領域の画像となる印刷背景を設定する印刷背景設定部を有し、
前記印刷画像生成部は、前記レイアウト背景設定部により前記レイアウト背景が設定されないときに、前記印刷画像に割り付けた前記レイアウト画像における前記レイアウト背景に、前記印刷背景設定部により生成された前記印刷背景を設定することを特徴とする画像処理装置。
【請求項２】
ユーザからの操作を受け付ける操作部を更に有し、
前記操作部は、前記レイアウト背景を設定するために用いるレイアウト背景情報、及び／又は前記印刷背景を設定するために用いる印刷背景情報を受け付けることを特徴とする請求項１に記載の画像処理装置。
【請求項３】
前記レイアウト背景情報は所定の色及び／又は所定の模様であり、前記印刷背景情報は所定の色及び／又は所定の模様であることを特徴とする請求項２に記載の画像処理装置。
【請求項４】
前記操作部は、前記レイアウト画像についての用紙サイズ及び用紙方向を規定するレイアウト用紙情報、及び／又は前記印刷画像についての用紙サイズ及び用紙方向を規定する印刷用紙情報を更に受け付け、
前記印刷画像における前記印刷背景の領域は、前記レイアウト用紙情報と前記印刷用紙情報とが異なるときに生じることを特徴とする請求項２又は３に記載の画像処理装置。
【請求項５】
前記印刷画像生成部は、前記印刷背景設定部により前記印刷背景が設定されないときに、前記印刷背景に前記レイアウト背景を設定することを特徴とする請求項１から４のいずれか一項に記載の画像処理装置。
【請求項６】
画像を割り付けたレイアウト画像を生成するレイアウト画像生成手順と、
前記レイアウト画像を割り付けた印刷対象となる印刷画像を生成する印刷画像生成手順と、を有し、
前記レイアウト画像生成手順は、前記レイアウト画像において前記割り付けた画像以外の領域の画像となるレイアウト背景を設定するレイアウト背景設定手順を有し、
前記印刷画像生成手順は、前記印刷画像において前記割り付けたレイアウト画像以外の領域の画像となる印刷背景を設定する印刷背景設定手順を有し、
前記印刷画像生成手順は、前記レイアウト背景設定手順により前記レイアウト背景が設定されないときに、前記印刷画像に割り付けた前記レイアウト画像における前記レイアウト背景に、前記印刷背景設定手順により生成された前記印刷背景を設定することを特徴とする画像処理方法。
【請求項７】
画像を割り付けたレイアウト画像を生成するレイアウト画像生成手順と、
前記レイアウト画像を割り付けた印刷対象となる印刷画像を生成する印刷画像生成手順と、をコンピュータに構築する画像処理プログラムであって、
前記レイアウト画像生成手順は、前記レイアウト画像において前記割り付けた画像以外の領域の画像となるレイアウト背景を設定するレイアウト背景設定手順を有し、
前記印刷画像生成手順は、前記印刷画像において前記割り付けたレイアウト画像以外の領域の画像となる印刷背景を設定する印刷背景設定手順を有し、
前記印刷画像生成手順は、前記レイアウト背景設定手順により前記レイアウト背景が設定されないときに、前記印刷画像に割り付けた前記レイアウト画像における前記レイアウト背景に、前記印刷背景設定手順により生成された前記印刷背景を設定することを特徴とする画像処理プログラム。
【発明の詳細な説明】
【技術分野】
【０００１】
本発明は、画像処理装置、画像処理方法及び画像処理プログラムに関する。
【背景技術】
【０００２】
従来、割付画像をページに割り付けてレイアウト画像を作成する画像処理装置が知られている。例えば、以下の特許文献１に記載されている画像処理装置では、レイアウト画像のページの大きさと、プリンタ等の記録装置に用いられる記録用紙の大きさとが一致しない場合に、用紙の大きさを示す外形線を参照画像領域に表示し、ページの大きさと記録用紙の大きさとの関係をユーザに提示するようにしている。
【０００３】
【特許文献１】特開２００７−８６８２６号公報
【発明の開示】
【発明が解決しようとする課題】
【０００４】
上記した特許文献１の例のようにレイアウト画像のページの大きさとプリンタ等に用いられる記録用紙の大きさとが一致しない場合、レイアウト画像を記録用紙に割り付けたときに、記録用紙においてレイアウト画像が重ならない領域は、記録用紙における背景領域となる。また、割付画像をページに割り付けてレイアウト画像を作成する場合に、レイアウト画像において割付画像以外の領域は、レイアウト画像における背景領域となる。
しかしながら、このような場合、レイアウト画像においての背景色等の設定と、記録用紙においての背景色等の設定とが必要であり、それぞれの背景色等の設定に手間が掛かってしまう。また、例えば、レイアウト画像の背景色等を設定しないで、記録用紙のみ背景色等を設定した場合、記録用紙では、レイアウト画像における背景が無設定（例えば白色）であり、その周辺は記録用紙に設定した背景色等の画像が出力され、ユーザの意図しない不自然な画像となる可能性がある。
【課題を解決するための手段】
【０００５】
本発明は、上記の課題の少なくとも一部を解決するためになされたものであり、以下の形態又は適用例として実現することが可能である。
【０００６】
［適用例１］
画像を割り付けたレイアウト画像を生成するレイアウト画像生成部と、前記レイアウト画像を割り付けた印刷対象となる印刷画像を生成する印刷画像生成部と、を有し、前記レイアウト画像生成部は、前記レイアウト画像において前記割り付けた画像以外の領域の画像となるレイアウト背景を設定するレイアウト背景設定部を有し、前記印刷画像生成部は、前記印刷画像において前記割り付けたレイアウト画像以外の領域の画像となる印刷背景を設定する印刷背景設定部を有し、前記印刷画像生成部は、前記レイアウト背景設定部により前記レイアウト背景が設定されないときに、前記印刷画像に割り付けた前記レイアウト画像における前記レイアウト背景に、前記印刷背景設定部により生成された前記印刷背景を設定することを特徴とする画像処理装置。
【０００７】
上記した画像処理装置によれば、レイアウト画像生成部が、画像を割り付けたレイアウト画像を生成する際、レイアウト背景設定部によりレイアウト背景を設定する。また、印刷画像生成部が、印刷対象となる印刷画像を生成する際、レイアウト背景設定部により印刷背景を設定する。このとき、レイアウト背景設定部によりレイアウト背景が設定されない場合、印刷背景設定部により生成された印刷背景をレイアウト背景に設定する。この結果、印刷画像におけるレイアウト画像のレイアウト背景は、印刷背景と同一になる。これにより、レイアウト背景が設定されない場合に、レイアウト背景が何も設定されない例えば白色の状態であって、その周辺は設定された印刷背景となるような印刷画像ではなく、レイアウト背景が印刷背景と同一であるような背景全体が自然な画像を出力することができる。また、このようにレイアウト背景を印刷背景に合わせる場合に、レイアウト背景の設定の手間を省くことができる。
【０００８】
［適用例２］
ユーザからの操作を受け付ける操作部を更に有し、前記操作部は、前記レイアウト背景を設定するために用いるレイアウト背景情報、及び／又は前記印刷背景を設定するために用いる印刷背景情報を受け付けることを特徴とする上記画像処理装置。
【０００９】
上記した画像処理装置によれば、操作部を介してユーザから、レイアウト背景や印刷背景を設定するための情報を受け付けることができる。これにより、ユーザは、好みに応じてレイアウト背景や印刷背景を設定することができる。
【００１０】
［適用例３］
前記レイアウト背景情報は所定の色及び／又は所定の模様であり、前記印刷背景情報は所定の色及び／又は所定の模様であることを特徴とする上記画像処理装置。
【００１１】
上記した画像処理装置によれば、ユーザは、所定の色、所定の模様、及びこれらの色と模様との組合わせを、レイアウト背景や印刷背景に設定することができる。
【００１２】
［適用例４］
前記操作部は、前記レイアウト画像についての用紙サイズ及び用紙方向を規定するレイアウト用紙情報、及び／又は前記印刷画像についての用紙サイズ及び用紙方向を規定する印刷用紙情報を更に受け付け、前記印刷画像における前記印刷背景の領域は、前記レイアウト用紙情報と前記印刷用紙情報とが異なるときに生じることを特徴とする上記画像処理装置。
【００１３】
上記した画像処理装置によれば、操作部を介してユーザから、レイアウト画像や印刷画像についての用紙サイズ及び用紙方向についての規定を受け付けることができる。また、レイアウト画像と印刷画像とで用紙サイズ及び用紙方向が異なる場合に生じる領域について、印刷背景を設定することができる。
【００１４】
［適用例５］
前記印刷画像生成部は、前記印刷背景設定部により前記印刷背景が設定されないときに、前記印刷背景に前記レイアウト背景を設定することを特徴とする上記画像処理装置。
【００１５】
上記した画像処理装置によれば、印刷背景設定部により印刷背景が設定されない場合は、レイアウト背景を印刷背景に設定する。この結果、印刷画像における印刷背景は、レイアウト画像のレイアウト背景と同一になる。これにより、印刷背景が設定されない場合に、レイアウト背景が設定されていて、その周辺は何も設定されない例えば白色の状態であるような印刷画像ではなく、レイアウト背景の周辺全体がレイアウト背景と同一であるような自然な画像を出力することができる。また、このように印刷背景をレイアウト背景に合わせる場合に、印刷背景の設定の手間を省くことができる。
【００１６】
［適用例６］
画像を割り付けたレイアウト画像を生成するレイアウト画像生成手順と、前記レイアウト画像を割り付けた印刷対象となる印刷画像を生成する印刷画像生成手順と、を有し、前記レイアウト画像生成手順は、前記レイアウト画像において前記割り付けた画像以外の領域の画像となるレイアウト背景を設定するレイアウト背景設定手順を有し、前記印刷画像生成手順は、前記印刷画像において前記割り付けたレイアウト画像以外の領域の画像となる印刷背景を設定する印刷背景設定手順を有し、前記印刷画像生成手順は、前記レイアウト背景設定手順により前記レイアウト背景が設定されないときに、前記印刷画像に割り付けた前記レイアウト画像における前記レイアウト背景に、前記印刷背景設定手順により生成された前記印刷背景を設定することを特徴とする画像処理方法。
【００１７】
上記した画像処理方法によれば、レイアウト画像生成手順により、画像を割り付けたレイアウト画像を生成する際、レイアウト背景設定手順によりレイアウト背景を設定する。また、印刷画像生成手順により、印刷対象となる印刷画像を生成する際、レイアウト背景設定手順により印刷背景を設定する。このとき、レイアウト背景設定手順によりレイアウト背景が設定されない場合、印刷背景設定手順により生成された印刷背景をレイアウト背景に設定する。この結果、印刷画像におけるレイアウト画像のレイアウト背景は、印刷背景と同一になる。これにより、レイアウト背景が設定されない場合に、レイアウト背景が何も設定されない例えば白色の状態であって、その周辺は設定された印刷背景となるような印刷画像ではなく、レイアウト背景が印刷背景と同一であるような背景全体が自然な画像を出力することができる。また、このようにレイアウト背景を印刷背景に合わせる場合に、レイアウト背景の設定の手間を省くことができる。
【００１８】
［適用例７］
画像を割り付けたレイアウト画像を生成するレイアウト画像生成手順と、前記レイアウト画像を割り付けた印刷対象となる印刷画像を生成する印刷画像生成手順と、をコンピュータに構築する画像処理プログラムであって、前記レイアウト画像生成手順は、前記レイアウト画像において前記割り付けた画像以外の領域の画像となるレイアウト背景を設定するレイアウト背景設定手順を有し、前記印刷画像生成手順は、前記印刷画像において前記割り付けたレイアウト画像以外の領域の画像となる印刷背景を設定する印刷背景設定手順を有し、前記印刷画像生成手順は、前記レイアウト背景設定手順により前記レイアウト背景が設定されないときに、前記印刷画像に割り付けた前記レイアウト画像における前記レイアウト背景に、前記印刷背景設定手順により生成された前記印刷背景を設定することを特徴とする画像処理プログラム。
【００１９】
上記した画像処理プログラムによれば、レイアウト画像生成手順により、画像を割り付けたレイアウト画像を生成する際、レイアウト背景設定手順によりレイアウト背景を設定する。また、印刷画像生成手順により、印刷対象となる印刷画像を生成する際、レイアウト背景設定手順により印刷背景を設定する。このとき、レイアウト背景設定手順によりレイアウト背景が設定されない場合、印刷背景設定手順により生成された印刷背景をレイアウト背景に設定する。この結果、印刷画像におけるレイアウト画像のレイアウト背景は、印刷背景と同一になる。これにより、レイアウト背景が設定されない場合に、レイアウト背景が何も設定されない例えば白色の状態であって、その周辺は設定された印刷背景となるような印刷画像ではなく、レイアウト背景が印刷背景と同一であるような背景全体が自然な画像を出力することができる。また、このようにレイアウト背景を印刷背景に合わせる場合に、レイアウト背景の設定の手間を省くことができる。
【発明を実施するための最良の形態】
【００２０】
（第１実施形態）
以下、第１実施形態に係る画像処理装置について、図面を参照して説明する。
【００２１】
＜画像処理装置の概略構成＞
最初に、本実施形態に係る画像処理装置の概略構成について説明する。
図１は、画像処理装置１０の概略構成例を示す図である。同図に示すように、画像処理装置１０は、画像処理装置１０を制御するためのプログラムを実行する本体１２と、本体１２からの出力に基づいて表示画面３０に表示を行うディスプレイ１４と、入力手段の一例としてのキーボード１６及びマウス１８と、を備える。また、本体１２には、画像を読み込む手段の一例としてのデジタルカメラ２０及びスキャナ２２と、本体１２からの出力に基づいて印刷用紙上に印刷を行うプリンタ２４と、が接続されている。
【００２２】
＜画像処理装置における機能構成＞
次に、画像処理装置１０における本体１２の機能構成について説明する。
図２は、本体１２の機能構成例を示すブロック図である。同図に示すように、本体１２は、レイアウト画像生成表示部１００、印刷画像生成表示部１１０、割付画像格納部１２０及び操作部１３０を備えて構成される。
レイアウト画像生成表示部１００は、レイアウト画像生成部１０２、レイアウト情報格納部１０４、レイアウト画像格納部１０５及びレイアウト画像表示部１０６を備える。また、レイアウト画像生成部１０２はレイアウト背景設定部１０３を備える。印刷画像生成表示部１１０は、印刷画像生成部１１２、印刷情報格納部１１４、印刷画像格納部１１５及び印刷画像表示部１１６を備える。また、印刷画像生成部１１２は印刷背景設定部１１３を備える。
【００２３】
図３は、表示画面３０への表示例を模式的に示す図である。画像処理装置１０は、前記したプログラムにより、グラフィックユーザインターフェースを有するウィンドウ画面４０を表示画面３０に表示する。ウィンドウ画面４０は、サムネイル画像に関しての表示及び入力を受け付けるブラウズ領域５０、後述するレイアウト画像に関しての表示及び入力を受け付けるレイアウト領域６０、及び後述する印刷画像に関しての表示及び入力を受け付けるプリント領域７０を有する。
【００２４】
レイアウト領域６０には、用紙指定ボックスＢ６１と背景指定ボックスＢ６２とが配置されている。また、プリント領域７０には、用紙指定ボックスＢ７１と背景指定ボックスＢ７２とが配置されている。前記したそれぞれの指定ボックスは、操作部１３０を介してユーザからの操作指定を受け付けることができる。本実施形態では、用紙指定ボックスＢ６１，Ｂ７１において、例えば「Ａ４縦」等の用紙サイズ及び用紙方向を受け付けることができる。また、背景指定ボックスＢ６２，Ｂ７２において、例えば「ピンク」等の背景となる色種類を受け付けることができる。なお、背景指定ボックスＢ６２，Ｂ７２では、色種類に限られず、例えば、背景となる模様や画像等の種類を受け付けても良い。
【００２５】
図２に示す割付画像格納部１２０は、デジタルカメラ２０により撮像された画像やスキャナ２２により読み込まれた画像等を格納する。割付画像格納部１２０に格納された画像は、図示しないサムネイル画像表示処理部により、サムネイル画像としてブラウズ領域５０に表示される。図２に示す例では、サムネイル画像表示処理部は、ブラウズ領域５０に１５個のサムネイル画像Ｇ１０を表示している。操作部１３０は、ユーザからの入力操作をキーボード１６やマウス１８等により受け付ける。
【００２６】
レイアウト画像生成部１０２は、ユーザからの指示に基づいて、レイアウト領域６０の用紙指定ボックスＢ６１に指定された用紙サイズ及び用紙方向に応じた仮想ページ６２を生成する。この仮想ページ６２には、ブラウズ領域５０から選択されたサムネイル画像Ｇ１０に基づいた割付画像を割り付けるための画像枠６３が表示される。仮想ページ６２における画像枠６３以外の領域は、レイアウト背景Ｒ１１の領域となる。レイアウト背景設定部１０３は、レイアウト領域６０の背景指定ボックスＢ６２で指定された色種類等を用いてレイアウト背景Ｒ１１を設定する。ここで、ユーザが背景指定ボックスＢ６２に何も指定しなかった場合は、背景指定ボックスＢ６２に「なし」の文字が表示され、本実施形態では、白色のレイアウト背景Ｒ１１が表示される。
レイアウト画像生成部１０２は、ユーザにより選択された割付画像Ｒ１２を仮想ページ６２の画像枠６３に割り付けたレイアウト画像Ｒ１０を生成する。ここで、レイアウト画像Ｒ１０は、仮想ページ６２に割り付けられた割付画像Ｒ１２及びレイアウト背景Ｒ１１を含む画像を示す。なお、図３に示すレイアウト領域６０では、２つの割付画像Ｒ１２の例が表示されているが、割付画像の数量及び配置等はこれに限られない。
【００２７】
レイアウト情報格納部１０４は、レイアウト画像生成部１０２からの指示に基づいて、ユーザにより指定された用紙指定ボックスＢ６１の内容をレイアウト用紙情報として、またユーザにより指定された背景指定ボックスＢ６２の内容をレイアウト背景情報としてハードディスク等の記録媒体に格納する。
【００２８】
レイアウト画像格納部１０５は、レイアウト画像生成部１０２からの指示に基づいて、生成されたレイアウト画像Ｒ１０をハードディスク等の記録媒体に格納する。レイアウト画像表示部１０６は、レイアウト画像生成部１０２からの指示に基づいて、レイアウト画像格納部１０５に格納されたレイアウト画像Ｒ１０を表示画面３０におけるレイアウト領域６０に表示する。
【００２９】
印刷画像生成部１１２は、ユーザからの指示に基づいて、プリント領域７０の用紙指定ボックスＢ７１に指定された用紙サイズ及び用紙方向に応じた印刷画像Ｐ２０を生成する。印刷画像Ｐ２０は、印刷対象を示す画像であり、レイアウト領域６０のレイアウト画像Ｒ１０が割り付けられている。なお、印刷画像Ｐ２０では、割り付け後のレイアウト画像Ｒ１０はレイアウト画像Ｐ１０に相当し、レイアウト背景Ｒ１１はレイアウト背景Ｐ１１に相当し、割付画像Ｒ１２は割付画像Ｐ１２に相当する。ここで、レイアウト領域６０の用紙指定ボックスＢ６１の指定内容と、プリント領域７０の用紙指定ボックスＢ７１の指定内容とが異なる場合、レイアウト画像Ｐ１０と印刷画像Ｐ２０とで重ならない領域が生じることがある。印刷背景Ｐ２１は、この重ならない領域、即ち印刷画像Ｐ２０においてレイアウト画像Ｐ１０以外の領域に相当する。
印刷背景設定部１１３は、プリント領域７０の背景指定ボックスＢ７２で指定された色種類等を用いて印刷背景Ｐ２１を設定する。また、ユーザが背景指定ボックスＢ７２に何も指定しなかった場合は、背景指定ボックスＢ７２に「なし」の文字が表示され、本実施形態では、白色の印刷背景Ｐ２１が表示される。
【００３０】
印刷情報格納部１１４は、印刷画像生成部１１２からの指示に基づいて、ユーザにより指定された用紙指定ボックスＢ７１の内容を印刷用紙情報として、またユーザにより設定された背景指定ボックスＢ７２の内容を印刷背景情報としてハードディスク等の記録媒体に格納する。
【００３１】
印刷画像格納部１１５は、印刷画像生成部１１２からの指示に基づいて、生成された印刷画像Ｐ２０をハードディスク等の記録媒体に格納する。印刷画像表示部１１６は、印刷画像生成部１１２からの指示に基づいて、印刷画像格納部１１５に格納された印刷画像Ｐ２０を表示画面３０におけるプリント領域７０に表示する。
【００３２】
記憶媒体９０は、レイアウト画像生成表示部１００、印刷画像生成表示部１１０、割付画像格納部１２０及び操作部１３０の動作を行わせるプログラムを格納する。本体１２は記憶媒体９０に格納された上記プログラムをインストールすることにより、レイアウト画像生成表示部１００等の動作を行わせても良い。更に、他の方法として、本体１２は、このようなプログラムを、通信回線を介して取得しても良い。
【００３３】
＜レイアウト画像を生成・表示する動作＞
次に、画像処理装置１０における本体１２の動作について説明する。
図４は、レイアウト画像Ｒ１０を生成・表示する動作を示すフローチャートである。図５は、印刷画像Ｐ２０を生成・表示する動作を示すフローチャートである。
最初に、図４に示すフローチャートを参照して、レイアウト画像Ｒ１０を生成・表示する動作について説明する。同図に示すフローチャートにおける動作は、ブラウズ領域５０にサムネイル画像Ｇ１０が表示された後、ユーザからの指示に基づいて開始される。
【００３４】
ステップＳ１１０では、レイアウト画像生成部１０２は、レイアウト領域６０の用紙指定ボックスＢ６１に指定された用紙サイズ及び用紙方向に応じた仮想ページ６２を生成する。
【００３５】
ステップＳ１２０では、レイアウト画像生成部１０２は、レイアウト領域６０の背景指定ボックスＢ６２について、ユーザによりレイアウト背景が指定されているか否かを判定する。
レイアウト背景が指定されている場合は、ステップＳ１３０へ進む。ステップＳ１３０では、レイアウト背景設定部１０３は、背景指定ボックスＢ６２に指定された色種類等を用いて、仮想ページ６２のレイアウト背景Ｒ１１を設定し、ステップＳ１４０へ進む。
他方、レイアウト背景が指定されていない場合、即ち背景指定ボックスＢ６２が「なし」の場合は、レイアウト背景Ｒ１１が白色の状態のままステップＳ１４０へ進む。
【００３６】
ステップＳ１４０では、レイアウト画像表示部１０６は、表示画面３０におけるレイアウト領域６０に仮想ページ６２を表示する。このとき、仮想ページ６２には、レイアウト背景Ｒ１１と画像枠６３とが表示されている。
【００３７】
ステップＳ１５０では、レイアウト画像生成部１０２は、ブラウズ領域５０からユーザにより選択されたサムネイル画像Ｇ１０の割付画像Ｒ１２を仮想ページ６２の画像枠６３に割り付け、レイアウト画像Ｒ１０を生成する。生成されたレイアウト画像Ｒ１０は、レイアウト画像格納部１０５に格納される。
【００３８】
ステップＳ１６０では、レイアウト画像表示部１０６は、レイアウト画像格納部１０５に格納されたレイアウト画像Ｒ１０を表示画面３０におけるレイアウト領域６０に表示する。
【００３９】
＜印刷画像を生成・表示する動作＞
次に、図５に示すフローチャートを参照して、印刷画像Ｐ２０を生成・表示する動作について説明する。同図に示すフローチャートにおける動作は、レイアウト領域６０にレイアウト画像Ｒ１０が表示された後、ユーザからの指示に基づいて開始される。
【００４０】
ステップＳ２１０では、印刷画像生成部１１２は、プリント領域７０の用紙指定ボックスＢ７１に指定された用紙サイズ及び用紙方向に応じた印刷画像Ｐ２０を生成する。このとき、印刷画像Ｐ２０には、レイアウト画像Ｐ１０が割り付けられている。生成された印刷画像Ｐ２０は、印刷画像格納部１１５に格納される。
【００４１】
ステップＳ２２０では、印刷画像生成部１１２は、プリント領域７０の背景指定ボックスＢ７２について、ユーザにより印刷背景が指定されているか否かを判定する。
印刷背景が指定されている場合は、ステップＳ２３０へ進む。ステップＳ２３０では、印刷背景設定部１１３は、背景指定ボックスＢ７２で指定された色種類等を用いて、印刷画像Ｐ２０の印刷背景Ｐ２１を設定し、ステップＳ２４０へ進む。
他方、印刷背景が指定されていない場合、即ち背景指定ボックスＢ７２が「なし」の場合は、印刷背景Ｐ２１が白色の状態のままステップＳ２６０へ進む。
【００４２】
ステップＳ２４０では、印刷画像生成部１１２は、レイアウト領域６０の背景指定ボックスＢ６２について、ユーザによりレイアウト背景が指定されているか否かを判定する。
レイアウト背景が指定されている場合、即ちレイアウト画像Ｐ１０のレイアウト背景Ｐ１１が設定済みの場合は、ステップＳ２６０へ進む。
【００４３】
ここで、レイアウト背景が指定されている場合の例について説明する。図６は、レイアウト領域６０及びプリント領域７０の表示例を示す図である。同図に示す表示例のレイアウト領域６０では、用紙指定ボックスＢ６１に「Ａ４縦」、背景指定ボックスＢ６２に「ピンク」が設定されている。これにより、生成されたレイアウト画像Ｒ１０のレイアウト背景Ｒ１１には、ピンク色が設定されている。また、同図に示す表示例のプリント領域７０では、用紙指定ボックスＢ７１に「Ａ３縦」、背景指定ボックスＢ７２に「黒」が設定されている。そして、印刷画像Ｐ２０とレイアウト画像Ｒ１０との用紙サイズが異なることから、印刷画像Ｐ２０には黒色の印刷背景Ｐ２１が設定されている。また、レイアウト画像Ｐ１０のレイアウト背景Ｐ１１にはピンク色が設定されている。
【００４４】
他方、ステップＳ２４０において、レイアウト背景が指定されていない場合、即ち背景指定ボックスＢ６２が「なし」の場合は、ステップＳ２５０へ進む。ステップＳ２５０では、印刷画像生成部１１２は、背景指定ボックスＢ７２に設定された色種類等を用いて、レイアウト背景Ｐ１１を設定する。この結果、印刷背景Ｐ２１とレイアウト背景Ｐ１１とは同一の背景となる。
【００４５】
ここで、レイアウト背景が指定されていない場合の例について説明する。図７は、レイアウト領域６０及びプリント領域７０の表示例を示す図である。同図に示す表示例のレイアウト領域６０では、用紙指定ボックスＢ６１に「Ａ４縦」が指定され、背景指定ボックスＢ６２は「なし」であり、何も指定されていない状態を示している。これにより、生成されたレイアウト画像Ｒ１０のレイアウト背景Ｒ１１は、無設定を示す白色となっている。また、同図に示す表示例のプリント領域７０では、用紙指定ボックスＢ７１に「Ａ３縦」、背景指定ボックスＢ７２に「黒」が指定されている。これにより、印刷画像Ｐ２０には黒色の印刷背景Ｐ２１が設定されている。また、レイアウト領域６０の背景指定ボックスＢ６２は「なし」であることから、印刷画像Ｐ２０のレイアウト背景Ｐ１１は印刷背景Ｐ２１と同一の黒色の背景が設定されている。
【００４６】
そして、ステップＳ２６０では、印刷画像表示部１１６は、印刷画像格納部１１５に格納された印刷画像Ｐ２０を表示画面３０に表示する。
【００４７】
本実施形態では、レイアウト背景の指定がされない場合、プリント領域７０の背景指定ボックスＢ７２で指定された色種類等を用いて、レイアウト背景Ｐ１１を設定する。この結果、図７のプリント領域７０の印刷画像Ｐ２０に示すように、印刷背景Ｐ２１とレイアウト背景Ｐ１１とは同一の背景となる。
例えば、レイアウト背景が指定されない場合に、レイアウト背景Ｐ１１を白色の状態のままにしたとする。この場合、印刷画像Ｐ２０では、レイアウト背景Ｐ１１は白色の状態で、その周辺となる印刷背景Ｐ２１は黒色の状態となる。このような印刷画像Ｐ２０は、ユーザが意図的にレイアウト背景Ｐ１１を白色にする場合を除いては、ユーザにとって不自然な画像となる可能性がある。また、レイアウト背景と印刷背景とを合わせる指定を行うとしても、それぞれの背景を指定する操作に手間が掛かってしまう。
本実施形態では、レイアウト背景が指定されない場合に、レイアウト背景Ｐ１１を印刷背景Ｐ２１と同一の背景にすることから、印刷画像Ｐ２０における背景全体が自然となる画像を出力することができる。また、このようにレイアウト背景を印刷背景に合わせる場合に、レイアウト背景指定の操作を省くことができる。
【００４８】
なお、本実施形態では、レイアウト背景が指定されておらず、且つ印刷背景が指定されている場合に、無条件に指定された印刷背景を用いてレイアウト背景の設定を行っている。しかし、これに限られず、操作部１３０を介してユーザからの操作指定を受け付け、受け付けた指定に基づいて、レイアウト背景の設定を行うか否かを判断しても良い。つまり、ユーザが、レイアウト背景の設定を行う旨を指定した場合は、レイアウト背景を印刷背景と同一にする。逆に、ユーザが、レイアウト背景の設定を行わない旨を指定した場合は、レイアウト背景の設定を行わないで、レイアウト背景は白色の状態のままにする。これにより、ユーザの好みに応じて、レイアウト背景と印刷背景との関係を指定することができる。
【００４９】
（第２実施形態）
次に、第２実施形態に係る画像処理装置について、図面を参照して説明する。
【００５０】
第２実施形態に係る画像処理装置１０の概略構成は、図１に示す第１実施形態に係る画像処理装置１０の概略構成例と同様である。また、第２実施形態における本体１２の機能構成についても、図２に示す本体１２の機能構成例を示すブロック図と同様である。また、表示画面３０への表示内容についても、図３に示す表示画面３０への表示例を模式的に示す図がそのまま適用できる。
【００５１】
第２実施形態におけるレイアウト画像Ｒ１０を生成・表示する動作については、図４に示す第１実施形態におけるフローチャートと同様であるが、印刷画像Ｐ２０を生成・表示する動作については、図５に示す第１実施形態におけるフローチャートと一部の動作が異なる。
図８は、第２実施形態において印刷画像Ｐ２０を生成・表示する動作を示すフローチャートである。同図に示すフローチャートと、図５に示す第１実施形態におけるフローチャートとは、図５に示すフローチャートのステップＳ２２０において、印刷背景が指定されていない場合の動作が異なる。これ以外のステップＳ２１０，Ｓ２３０〜Ｓ２５０，Ｓ２６０の動作については同様であるので説明を省略する。
【００５２】
図８に示すフローチャートのステップＳ２２０において、印刷背景が指定されていない場合、即ち背景指定ボックスＢ７２が「なし」の場合は、ステップＳ２５１へ進む。
【００５３】
ステップＳ２５１では、印刷画像生成部１１２は、レイアウト領域６０の背景指定ボックスＢ６２について、ユーザによりレイアウト背景が指定されているか否かを判定する。
レイアウト背景が指定されている場合、即ちレイアウト画像Ｐ１０のレイアウト背景Ｐ１１が設定済みの場合は、ステップＳ２５５へ進む。ステップＳ２５５では、印刷画像生成部１１２は、レイアウト領域６０の背景指定ボックスＢ６２で指定された色種類等を用いて、印刷画像Ｐ２０の印刷背景Ｐ２１を設定し、ステップＳ２６０へ進む。この結果、印刷背景Ｐ２１とレイアウト背景Ｐ１１とは同一の背景となる。
他方、レイアウト背景が指定されていない場合、即ち背景指定ボックスＢ６２が「なし」の場合は、レイアウト背景Ｐ１１及び印刷背景Ｐ２１が白色の状態のままステップＳ２６０へ進む。
【００５４】
ここで、印刷背景が指定されておらず、且つレイアウト背景が指定されている場合の例について説明する。図９は、レイアウト領域６０及びプリント領域７０の表示例を示す図である。同図に示す表示例のレイアウト領域６０では、用紙指定ボックスＢ６１に「Ａ４縦」が指定され、背景指定ボックスＢ６２は「ピンク」が指定されている。これにより、生成されたレイアウト画像Ｒ１０のレイアウト背景Ｒ１１には、ピンク色が設定されている。また、同図に示す表示例のプリント領域７０では、用紙指定ボックスＢ７１に「Ａ３縦」、背景指定ボックスＢ７２は「なし」であり、何も指定されていない状態を示している。これにより、印刷画像Ｐ２０の印刷背景Ｐ２１には、レイアウト背景Ｐ１１と同一のピンク色が設定されている。
【００５５】
本実施形態では、印刷背景の設定がされない場合、レイアウト領域６０の背景指定ボックスＢ６２で指定された色種類等を用いて、印刷背景Ｐ２１を設定する。この結果、図９のプリント領域７０の印刷画像Ｐ２０に示すように、印刷背景Ｐ２１とレイアウト背景Ｐ１１とは同一の背景となる。
例えば、印刷背景の設定がされない場合に、印刷背景Ｐ２１を白色の状態のままにしたとする。この場合、印刷画像Ｐ２０では、レイアウト背景Ｐ１１はピンク色の状態で、その周辺となる印刷背景Ｐ２１は白色の状態となる。このようなときに、印刷背景Ｐ２１をレイアウト背景Ｐ１１と同一のピンク色にすることで、印刷画像Ｐ２０における背景全体が自然となる画像を出力することができる。また、このように印刷背景をレイアウト背景に合わせる場合に、印刷背景指定の操作を省くことができる。
【００５６】
なお、本実施形態では、印刷背景が指定されておらず、且つレイアウト背景が指定されている場合に、無条件に指定されたレイアウト背景を用いて印刷背景の設定を行っている。しかし、これに限られず、操作部１３０を介してユーザからの操作指定を受け付け、受け付けた指定に基づいて、印刷背景の設定を行うか否かを判断しても良い。つまり、ユーザが、印刷背景の設定を行う旨を指定した場合は、印刷背景をレイアウト背景と同一にする。逆に、ユーザが、印刷背景の設定を行わない旨を指定した場合は、印刷背景の設定を行わないで、印刷背景は白色の状態のままにする。これにより、ユーザの好みに応じて、レイアウト背景と印刷背景との関係を指定することができる。
【図面の簡単な説明】
【００５７】
【図１】画像処理装置の概略構成例を示す図。
【図２】本体の機能構成例を示すブロック図。
【図３】表示画面への表示例を模式的に示す図。
【図４】レイアウト画像を生成・表示する動作を示すフローチャート。
【図５】印刷画像を生成・表示する動作を示すフローチャート。
【図６】レイアウト領域及びプリント領域の表示例を示す図。
【図７】レイアウト領域及びプリント領域の表示例を示す図。
【図８】第２実施形態において印刷画像を生成・表示する動作を示すフローチャート。
【図９】第２実施形態におけるレイアウト領域及びプリント領域の表示例を示す図。
【符号の説明】
【００５８】
１０…画像処理装置、１２…本体、１４…ディスプレイ、１６…キーボード、１８…マウス、２０…デジタルカメラ、２２…スキャナ、２４…プリンタ、３０…表示画面、４０…ウィンドウ画面、５０…ブラウズ領域、６０…レイアウト領域、６２…仮想ページ、６３…画像枠、７０…プリント領域、９０…記憶媒体、１００…レイアウト画像生成表示部、１０２…レイアウト画像生成部、１０３…レイアウト背景設定部、１０４…レイアウト情報格納部、１０５…レイアウト画像格納部、１０６…レイアウト画像表示部、１１０…印刷画像生成表示部、１１２…印刷画像生成部、１１３…印刷背景設定部、１１４…印刷情報格納部、１１５…印刷画像格納部、１１６…印刷画像表示部、１２０…割付画像格納部、１３０…操作部、Ｂ６１，Ｂ７１…用紙指定ボックス、Ｂ６２，Ｂ７２…背景指定ボックス、Ｐ１１…レイアウト背景、Ｐ１２…割付画像、Ｐ２０…印刷画像、Ｐ２１…印刷背景、Ｒ１０…レイアウト画像、Ｒ１１…レイアウト背景、Ｒ１２…割付画像。
【図１】
2009163594.tif 000003
【図２】
2009163594.tif 000004
【図３】
2009163594.tif 000005
【図４】
2009163594.tif 000006
【図５】
2009163594.tif 000007
【図６】
2009163594.tif 000008
【図７】
2009163594.tif 000009
【図８】
2009163594.tif 000010
【図９】
2009163594.tif 000011